(57)【要約】      （修正有）【課題】容器の効率的な製造と、商品の流通過程での商品同士の干渉を回避することが可能であり、しかも、交換容易なレフィル容器を提案する。【解決手段】内容物を収納する内装体１と、この内装体を上端開放部を通して収納、保持する外装体２と、該内装体の開口部に着脱自在に装着され、該内装体を密封保持する蓋体（中蓋３、外蓋４）とを備えたレフィル容器において、内装体の外周壁に、該内装体の径方向外側に向けて延出する少なくとも１つの横リブ５を設ける。また、外装体の上端開放部の端面に、該内装体１の横リブを落とし入れて該内装体の、該外装体に対する回転を阻止する切欠き凹部６を設ける。また、外装体に、該切欠き凹部に落とし入れた横リブの直上に位置してその横リブを抜け出し不能に保持するリング７ａを備えるとともに、該外装体２の周りに沿う時計周り、反時計周りの回動を可能とする肩カバー７を設ける。【選択図】図２
2016011130.tif 000002
【特許請求の範囲】
【請求項１】
内容物を収納する内装体と、この内装体を上端開放部を通して収納、保持する外装体と、該内装体の開口部に着脱自在に装着され、該内装体を密封保持する蓋体とを備えたレフィル容器であって、
前記内装体は、その外周壁に、該内装体の径方向外側に向けて延出する少なくとも１つの横リブを有し、
前記外装体は、上端開放部の端面に、該内装体の横リブを落とし入れて該内装体の、該外装体に対する回転を阻止する切欠き凹部を有し、
該外装体に、該切欠き凹部に落とし入れた横リブの直上に位置してその横リブを抜け出し不能に保持するリングを備えるとともに、該外装体の周りに沿う時計周り、反時計周りの回動を可能とする肩カバーを設け、
該肩カバーのリングは、その少なくとも内端部分に、該切欠き凹部に合致させる肩カバーの回動にて、該横リブを通過させて該内装体を、該外装体から抜き取るとともに新規な内装体への付替えを可能とする切欠き部を有することを特徴とするレフィル容器。
【請求項２】
前記内装体は、その外周壁の全周に、該内装体の径方向外側に向けて延出し、該肩カバーのリングの少なくとも内端部分を覆うフランジを有することを特徴とする請求項１に記載したレフィル容器。
【請求項３】
前記肩カバーは、外装体の周りに沿う時計周り、反時計周りの回動を規制して前記切欠き凹部と前記リングに形成した切欠き部を相互に合致させる一方、該切欠き凹部に落とし入れた横リブの直上にリングを位置させるストッパーを有することを特徴とする請求項１または２に記載したレフィル容器。
【請求項４】
前記肩カバー、前記外装体の何れか一方に、少なくとも先端部が弾性変形可能な板状片を設け、もう一方に、該板状片が乗り越えてクリック感を誘発させる凸部を設けたことを特徴とする請求項１〜３のいずれか１に記載したレフィル容器。
【発明の詳細な説明】
【技術分野】
【０００１】
本発明は、内容物を充填する中皿や内容器等を内装体とし、内容物を使い切ったのちに新たな内装体を付替えすることによって外装体（外容器）の再利用を図るレフィル容器に関するものである。
【背景技術】
【０００２】
クリームや整髪料等の化粧料を入れる容器としては、従来、スパチュラ等を使用して適量の内容物を適宜掬い取るジャータイプの容器が使用されている。
【０００３】
この種の容器は、容器一つ当たりの原料（樹脂）の使用量が他の容器（例えば、チューブ容器等）に比較して多くなることから、近年では、特許文献１にみられるように、内容物を直接充填する内容器（内装体）と、この内容器を着脱可能に保持する外容器（外装体）で構成し、内容物を使い切った後は、内容器のみを新規なものに交換するレフィル容器としたものが適用されるようになってきており、これにより容器の製造に際して使用される原料の使用量を削減して資源の有効活用を図るようにしている。
【０００４】
しかしながら、上記特許文献１に開示されたレフィル容器は、内容器と外容器との係合部が複雑な構造になっており、容器の効率的な製造が行い難く、また、商品の流通過程で内容器に設けられた当該係合部が他の内容器の係合部と干渉してしまうことも懸念されおり、未だ改善の余地が残されていた。
【先行技術文献】
【特許文献】
【０００５】
【特許文献１】特許第５３３１７２０号公報
【発明の開示】
【発明が解決しようとする課題】
【０００６】
本発明の課題は、容器の効率的な製造が可能であるとともに、容器同士の相互干渉を伴うことなしに安定的に商品を流通させることができ、かつ簡便に新規な内装体に交換し得るレフィル容器を提案するところにある。
【課題を解決するための手段】
【０００７】
本発明は、内容物を収納する内装体と、この内装体を上端開放部を通して収納、保持する外装体と、該内装体の開口部に着脱自在に装着され、該内装体を密封保持する蓋体とを備えたレフィル容器であって、前記内装体は、その外周壁に、該内装体の径方向外側に向けて延出する少なくとも１つの横リブを有し、前記外装体は、上端開放部の端面に、該内装体の横リブを落とし入れて該内装体の、該外装体に対する回転を阻止する切欠き凹部を有し、該外装体に、該切欠き凹部に落とし入れた横リブの直上に位置してその横リブを抜け出し不能に保持するリングを備えるとともに、該外装体の周りに沿う時計周り、反時計周りの回動を可能とする肩カバーを設け、該肩カバーのリングは、その少なくとも内端部分に、該切欠き凹部に合致させる肩カバーの回動にて、該横リブを通過させて該内装体を、該外装体から抜き取るとともに新規な内装体への付替えを可能とする切欠き部を有することを特徴とするレフィル容器である。
【０００８】
上記の構成からなるレフィル容器においては、
１）前記内装体は、その外周壁の全周に、該内装体の径方向外側に向けて延出し、該肩カバーのリングの少なくとも内端部分を覆うフランジを有すること、
２）前記肩カバーは、外装体の周りに沿う時計周り、反時計周りの回動を規制して該切欠き凹部とリングに形成した切欠き部を相互に合致させる一方、該切欠き凹部に落とし入れた横リブの直上にリングを位置させるストッパーを有すること、
３）前記肩カバー、前記外装体は、その何れか一方に、少なくとも先端部が弾性変形可能な板状片を設け、もう一方に、該板状片が乗り越えてクリック感を誘発させる凸部を設けたこと、
が課題解決のための具体的手段として望ましい。ここに、クリック感とは、板状片が凸部を乗り越える際に発する音（例えば、弾かれるような音）、あるいはそのような音を発することがなくても凸部を乗り越えるような手応え、感触をいうこととする。
【発明の効果】
【０００９】
上記の構成からなる本発明のレフィル容器によれば、肩カバーを外装体の周りで回動させ、リングに設けた切欠き部を、該外装体の上端開放部に設けた切欠き凹部に合致させるだけで、内装体を外装体から取り外すことができる。
【００１０】
また、本発明のレフィル容器によれば、内装体の外周壁の全周に、内装体の径方向外側に向けて延出し、該肩カバーのリングの少なくとも内端部分を覆うフランジを設けたため、リングに形成した切欠き部を覆い隠すことが可能であり、容器の美観を保つことができる。
【００１１】
また、本発明のレフィル容器によれば、肩カバーの、時計周り、反時計周りの回動を規制して切欠き凹部とリングに形成した切欠き部を相互に合致させる一方、該切欠き凹部に落とし入れた横リブの直上にリングを位置させるストッパーを設けたため、内装体が付替え可能な状態（ロックが解除された状態）にあるか、外装体に固定された状態（ロック状態）にあるかが明瞭に把握できる。また、本発明のレフィル容器によれば、肩カバーの回動量（回動角度）を小さくすることができるので、肩カバーをわずかに回動させるだけで内装体のロックとその解除が行え、内装体の付替え作業の煩わしさ（ストレス）を軽減することができる。
【００１２】
さらに、本発明のレフィル容器によれば、肩カバー、外装体の何れか一方に、少なくとも先端部が弾性変形可能な板状片を設け、もう一方に、該板状片が乗り越えることによってクリック感を誘発させる突起を設けたことにより、内装体がロック解除状態にあるかどうか、あるいは内装体がロックされた状態にあるかどうかを容易に把握することができる。また、板状片が突起を乗り越えた状態では、肩カバーを強制的に逆向きに回動させない限り板状片は突起を乗り越えることができないので、肩カバーはその位置に留まることになる。すなわち、肩カバーの逆向きの回動が防止される。
【図面の簡単な説明】
【００１３】
【図１】（ａ）（ｂ）は、本発明に従うレフィル容器の実施の形態を模式的に示した図であり、（ａ）は平面図（蓋体を取り外した状態を表示）、（ｂ）は側面図（中心線を境にして右側半分を断面で表示）である。
【図２】図１（ａ）（ｂ）に示したレフィル容器を分解状態で示した外観斜視図である。
【図３】肩カバーの下面を示した外観斜視図である。
【図４】（ａ）（ｂ）は、本発明に従うレフィル容器の内装体を、外装体から取り外す状態（ロックを解除した状態）を示した図である。
【図５】（ａ）（ｂ）は、本発明に従うレフィル容器の内装体を、外装体に固定（ロック）した状態を示した図である。
【発明を実施するための形態】
【００１４】
以下、図面を参照して本発明をより具体的に説明する。
図１（ａ）（ｂ）は、本発明に従うレフィル容器の実施の形態を模式的に示した図であり、（ａ）は平面図（蓋体を取り外した状態で表示）、（ｂ）は側面図（中心線を境にして右側半分を断面で表示）である。また、図２は、図１（ａ）（ｂ）に示したレフィル容器の分解斜視図であり、図３は、肩カバーをその下面について示した外観斜視図である。
【００１５】
なお、本発明に従うレフィル容器は、基本的には、合成樹脂を原料として、これを射出成形法等の成形手法を適用して所望の形状に成形されるものの他、ガラスや金属材料からなるものを適用することが可能であって、ここでは、ジャータイプの容器を例として示したが、本発明のレフィル容器は、内装体とこの内装体を保持する外装体の二重構造からなっており、内装体を着脱できる容器であればどのようなタイプの容器でも適用可能であり、図示したジャータイプの容器に限定されるものではない。
【００１６】
図１〜３における符号１は、内装体（内容器）である。この内装体１は、環状の周壁１ａと、この周壁１ａの下端に一体連結する底壁１ｂと、周壁１ａの上端部に一体連結する筒体１ｃから構成されるものであって、その内側には内容物の充填空間Ｍが区画形成されており、内装体１の筒体１ｃには内容物を充填空間Ｍから取り出す開口部１ｄが形成される。
【００１７】
２は、内装体１を収納、保持する内部空間を備えた外装体である。この外装体２は、内装体１を取り囲む周壁２ａと、この周壁２ａの下端に一体連結する底壁２ｂから構成されており、周壁２ａの上端開放部２ｃを通して内装体１をその内側に入れ込む。
【００１８】
外装体２の周壁２ａは、内装体１を収納、保持したとき、内装体１の筒体１ｃを外装体２の上端開放部２ｃから露出させる高さに設定されている。なお、図示の外装体２は、内装体１の筒体１ｃを露出させるものであればどのような形態のものでも適用可能であり、図示のものに限定されることはない。
【００１９】
また、３は、内装体１の筒体１ｃに着脱自在に連係する中蓋、４は、中蓋３の外側に装着された外蓋である。本実施形態では、中蓋３と外蓋４とを一体化して蓋体を構成しており、この蓋体によって内装体１の取り出し口１ｄを開閉する。なお、当該蓋体は、付替えるべき新規な内装体１に予め装着されていてもよく、外装体２とともに再利用されてもよい。また、中蓋３と外蓋４とを着脱できるようにしておき、中蓋３のみが内装体１に予め装着されていてもよい。さらに、この蓋体は、中蓋３と外蓋４との２部材を組み合せたものではなく、一体成形されたもの、すなわち、単一部材からなるものを用いることもできる。
【００２０】
中蓋３は、内装体１の取り出し口１ｄを塞ぐ天板３ａと、この天板３ａの縁部に一体連結して内装体１の筒体１ｃに形成されたねじ部に係合可能なねじ部を有する環状の垂下壁３ｂから構成されている。また、外蓋４は、中蓋３の天板３ａの上面に位置する天板４ａと、この天板４ａの縁部に一体連結して中蓋３の垂下壁３ｂの外周面に回動不能に嵌合する環状の垂下壁４ｂから構成されている。なお、中蓋３の天板３ａと内装体１の筒体１ｃの上端面との間には、気密性（液密性）を保つパッキンが配置される。当該パッキンは、中蓋３に取り付けられていてもよく、個別の部材として中蓋３の天板３ａと、内装体１の筒体１ｃの上端面との間で挟持されるものでもよい。
【００２１】
また、中蓋３は、ねじ部によって内装体１の筒体１ｃに係合するものの他、いわゆるアンダーカット嵌合によって着脱するようにしてもよく、ねじ部によって係合する場合に限定されない。
【００２２】
また、５は、内装体１の周壁１ａの外周壁の上部対向位置に設けられ、内装体１の径方向外側に向けて延出する横リブ、６は、外装体２の周壁２ａの上端面（上端開放部２ｃの端面）の対向位置に設けられた切欠き凹部である。
【００２３】
この切欠き凹部６は、外装体２の内壁側が切り落とされた断面形状を有するものであって、内装体１を外装体２に収納するとき、内装体１の横リブ５を落とし入れて該内装体１の、外装体２に対する回転を防止する機能を有している。横リブ５と、その横リブ５を落とし込む切欠き凹部６の数は、必要に応じて適宜変更される。
【００２４】
また、７は、外装体２の周壁２ａの上部に配置され、該外装体２から離脱不能で、かつその周りに沿う時計周り、反時計周りの回動を可能とする肩カバーである。
【００２５】
この肩カバー７は、外装体２の周壁２ａの上端面の直上に位置して切欠き凹部６に落とし入れた横リブ５が該切欠き凹部６から抜け出すのを防止する平板環状のリング７ａと、このリング７ａの下面に垂下状態で一体連結した環状の内周壁７ｂと、リング７ａの外端縁に垂下状態で一体連結した環状の外周壁７ｃからなっている。内周壁７ｂと外周壁７ｃとの間には隙間が形成されていて内周壁７ｂの弾性的な変形を誘導して外装体２とのアンダーカット嵌合を可能にしている。
【００２６】
肩カバー７のリング７ａおよび外周壁７ｃは、容器の美観を保つ観点から、その外周面が、外装体２の周壁２ａの外面と一致（面一）する外径に設定されている。ただし、この外径は異なっていてもよい。
【００２７】
また、肩カバー７の内周壁７ｂは、外装体２の周壁２ａの上端部に設けられた切欠き凹所２ｄの縦壁２ｄ′においてアンダーカット嵌合するものであって、このアンダーカット嵌合により、該肩カバー７は、時計周り、反時計周りの回動が許容されるが、外装体２からの離脱を不能としている。
【００２８】
８は、肩カバー７のリング７ａの内端部分の対向位置に設けられ、上面視で切欠き凹部６と同等の大きさ、形状を有する切欠き部である（図２参照）。ただし、この切欠き部８の大きさおよび形状は、切欠き凹部６とは異なるものであってもよく、例えば、切欠き凹部６よりも大きくすることができる。肩カバー７を回動させ、この切欠き部８を、切欠き凹部６に合致させることにより、内装体１の外周壁に設けられた横リブ５は、切欠き部８を通過することが可能となり、これにより内装体１を外装体２から抜き取って新規な内装体２への付替えを可能としている。
【００２９】
また、９は、横リブ５の上方位置で、内装体１の外周壁の全周にわたって設けられたフランジである。このフランジ９は、内装体１の径方向外側に向けて延出し、肩カバー７のリング７ａの少なくとも内端部分の上面を覆うものであって、このフランジ９によって肩カバー７のリング７ａに設けられた切欠き部８が覆い隠され、容器の美観を高めることができるようになっている。なお、フランジ９は、リング７ａの厚さと同程度の寸法だけ横リブ５よりも上方位置に設けられる。
【００３０】
また、１０は、外装体２の切欠き凹所２ｄの縦壁２ｄ′で外装体２の周りに沿って形成された凹部（図２参照）、１１ａ、１１ｂは、肩カバー７の内周壁７ｂの内側およびリング７ａの下面に一体的に設けられ、該凹部１０内に入り込む一対で一組になるブロックである（図３参照）。ブロック１１ａ、１１ｂは、肩カバー７の回動範囲（回動角度）を規制するストッパーとして機能する。
【００３１】
このストッパーは、肩カバー７を回動させるに際し、例えば、図４（ａ）（ｂ）に示すように、ブロック１１ｂを凹部１０の行き止まり端１０ｂに当接させ、切欠き凹部６とリング７ａに形成された切欠き部８とを相互に合致させることにより内装体１の、外装体２からの引き抜きを可能とする（ロック解除）一方、該肩カバー７を逆方向に回動させ、図５（ａ）（ｂ）に示すように、突起１１ａを凹部１０のもう一方の行き止まり端１０ａに当接させて、切欠き凹部６に落とし入れた横リブ５の直上にリング７ａを位置させることにより該横リブ５の切欠き凹部６からの抜け出し、すなわち、内装体１の、外装体２からの引き抜きを防止（ロック）している。図４（ａ）、図５（ａ）では、肩カバー７と外装体２の位置関係のみを示しており、内装体１は図示していない。
【００３２】
なお、ここでは、ブロック１１ｂを凹部１０の行き止まり端１０ｂに当接させることにより内装体１の、外装体２からの引き抜きを可能とし、ブロック１１ａを凹部１０行き止まり端１０ａに当接させることにより内装体１の、外装体２からの引き抜きを防止する場合について説明したが、ブロック１１ａを凹部１０の行き止まり端１０ａに当接させて内装体１を、外装体２にロックし、ブロック１１ｂを凹部１０行き止まり端１０ｂに当接させて内装体１の、外装体２に対するロックを解除してもよく、この点については適宜変更し得るものであって、図示のものに限定されることはない。
【００３３】
また、１２は、ブロック１１ａ、１１ｂの相互間で肩カバー７の内周壁７ｂの内側およびリング７ａの下面に一体的に設けられた板状片（リブ）である。この板状片１２は、ブロック１１ａ、１１ｂよりも径方向（肩カバー７の径方向）内方に突出しており、少なくともその先端（内端）部が弾性変形可能な薄肉片として形成されている。また、１３は、凹部１０の側壁に設けられ、該板状片１２が弾性変形することによって乗越え可能とした凸部である。
【００３４】
板状片１２は、肩カバー７を時計周り、反時計周りに回動させてブロック１１ａ、１１ｂがそれぞれ凹部１０の行き止まり端１０ａ、１０ｂに当接するとき、弾性変形しつつ凸部１３を乗り越えることによってクリック感を誘発させるものであって、このクリック感の誘発によって内装体１が付替え可能な状態（ロック解除）になったか、あるいはロックされた状態になったかを明瞭に把握することができる。板状片１２は、肩カバー７を強制的に回動させない限り凸部１３を乗り越えることができないものであって、肩カバー７の逆向きへの回動を防止する機能をも有している。
【００３５】
ここに、凹部１０、凸部１３を外装体２に設け、ブロック１１ａ、１１ｂ、板状片１２を肩カバー７に設けたものを例として示したが、凹部１０、凸部１３を肩カバー７に設け、ブロック１１ａ、１１ｂ、板状片１２を外装体２に設けることもできる。
【００３６】
また、この実施の形態では、板状片１２およびブロック１１ａ、１１ｂを、それぞれ肩カバー７の内周壁７ｂの内側およびリング７ａの下面に一体的に接続するように設けたものを示したが、板状片１２およびブロック１１ａ、１１ｂは、当該内周壁７ｂまたはリング７ａにのみ接続するように設けてもよい。例えば、板状片１２、ブロック１１ａ、１１ｂをそれぞれリング７ａの下面から垂下するように設け、その際、板状片１２の下端をブロック１１ａ、１１ｂの下端よりも下方へ延長した場合にあっては、凸部１３は、凹部１０が形成された部位の切欠き凹所２ｄの底壁に設けることができる。
【００３７】
また、凹部１０、凸部１３、ブロック１１ａ、１１ｂ、板状片１２は、肩カバー７をスムーズに回動させる観点から、外装体２、肩カバー７の対向位置にそれぞれ設けた構造としたものを例示したが、これらのものは１箇所、あるいは２箇所以上設けることも可能である。
【００３８】
本発明のレフィル容器は、上述の如く、肩カバー７を回動させ、図４（ａ）（ｂ）に示すように、リング７に形成された切欠き部８を、外装体２に設けられた切欠き凹部６に合致させることで内装体１を外装体２から抜き取ることが可能となり、新規な内装体１への付替えが行える。
【００３９】
また、本発明のレフィル容器は、図５（ａ）（ｂ）に示したように、内装体１に設けた横リブ５を外装体２の周壁２ａの上端面に設けた切欠き凹部６に落とし込んで、その直上に肩カバー７のリング７ａを位置せしめるだけで内装体１を外装体２にしっかりと固定することができる。
【００４０】
凹部１０の周長Ｌ（図４（ａ）参照）を適宜調整し、例えば、４５°程度のわずかな回動角度（回転角度）でもって肩カバー７を、時計周り、反時計周りに回動させて内装体１の、外装体２に対するロックとその解除を行うことにより、新規な内装体１を付替える際の煩わしい作業の軽減を図ることができる。
【００４１】
本発明のレフィル容器は、内容器を構成する内装体１の外周壁にはフランジ９と横リブ５が形成された単純な構造であり、容器の効率的な製造が行えるとともに、商品の流通過程で商品（内装体）同士が干渉するのを回避することができる。
【産業上の利用可能性】
【００４２】
本発明によれば、容器の効率的な製造が可能であり、また、商品の流通過程での商品同士の干渉を回避することができる。また、本発明によれば、内装体を簡便に交換し得るレフィル容器が提供できる。
【符号の説明】
【００４３】
１      内装体（内容器）
１ａ    周壁
１ｂ    底壁
１ｃ    筒体
１ｄ    取り出し口
２      外装体（外容器）
２ａ    周壁
２ｂ    底壁
２ｃ    上端開放部
２ｄ    切欠き凹所
２ｄ′  縦壁
３      中蓋
３ａ    天板
３ｂ    垂下壁
４      外蓋
４ａ    天板
４ｂ    垂下壁
５      横リブ
６      切欠き凹部
７      肩カバー
７ａ    リング
７ｂ    内周壁
７ｃ    外周壁
８      切欠き部
９      フランジ
１０    凹部
１１ａ、１１ｂ    ブロック
１２    板状片
１３    凸部
Ｍ      充填空間
【図１】
2016011130.tif 000003
【図２】
2016011130.tif 000004
【図３】
2016011130.tif 000005
【図４】
2016011130.tif 000006
【図５】
2016011130.tif 000007